(57)【要約】【課題】  応答性を高めたまま、表示画面上に灰色を正しく表示することができる表示用コントローラを提供する。【解決手段】  コンパレータ１０に入力された画像データＲ，Ｇ，Ｂの値が同じ値である（灰色である）と判定した場合は‘Ｌ’レベルのセレクト信号ＳＥＬを出力して、ルックアップテーブル３１，３２，３３の補正値の中からいずれか１つの補正値を第１のセレクタ３４で選択し、この補正値とコンパレータ１０からの画像データＲ，Ｇ，Ｂとを加算器４１，４２，４３で加算して、表示画面に出力する。【選択図】        図１
2006010839.tif 000002
【特許請求の範囲】
【請求項１】
複数色に色分解された画像データを複数フレームにわたって順次受け取って表示画面を駆動する表示用コントローラにおいて、
応答性を高めるオーバドライブ回路を備え、
前記オーバドライブ回路が、各色ごとに独立に、該各色の画素値を調整する第１のモードと、前記複数色全てについて該複数色の画素値それぞれを相互に同一の値だけ調整する第２のモードを備えたことを特徴とする表示用コントローラ。
【発明の詳細な説明】
【技術分野】
【０００１】
本発明は、複数色に色分解された画像データを複数フレームにわたって順次受け取って表示画面を駆動する表示用コントローラに関する。
【背景技術】
【０００２】
近年、液晶表示装置が様々な分野で利用されており、特に薄型化および低消費電力化を実現するためのテレビモニタに好適に利用されている。このような液晶表示装置には、Ｒ（赤），Ｇ（緑），Ｂ（青）の３色に色分解された画像データを複数フレームにわたって順次受け取って、液晶表示装置の表示画面を駆動する表示用コントローラ（ＬＣＤコントローラ）が備えられている。液晶表示装置は、ＬＣＤコントローラから印加される各色の駆動電圧信号（色信号と称する）による電界の大きさに応じて、表示画面を構成する液晶素子の分子配列を変化させることにより、光の透過率を制御して画像表示を行なう。ここで、液晶素子の分子配列の変化には時間的な遅れが伴う。この時間的な遅れは比較的大きく、このためテレビモニタ等の用途に液晶表示装置を使用する場合、画像の動きに遅れが生じて見にくいという問題が発生する。
【０００３】
そこで、画像を表示するにあたり、実際に表示するための色信号が有する電圧値よりも大きな電圧値を有する色信号をＬＣＤコントローラから液晶素子に与えることで、液晶素子の応答性を高めるオーバドライブ機能と称される技術が提案されている。例えば、特許文献１には、フレームメモリとルックアップテーブル（ＬＵＴ）を備え、前回の１フレーム分の画像データをフレームメモリに格納しておき、今回の１フレーム分の画像データと前回の１フレーム分の画像データとからＬＵＴに保持されている増幅値を読み出し、今回の１フレーム分の画像データに増幅値をマージして補正した値を、表示画面に入力する技術が提案されている。
【特許文献１】特開２００３−８４７３６号公報
【発明の開示】
【発明が解決しようとする課題】
【０００４】
従来の、オーバドライブ機能と称される技術を採用して、表示画面上に灰色を表示する場合がある。この場合、ＬＣＤコントローラから、色信号として、共に同じ値を有するＲ，Ｇ，Ｂの画像データが出力される（Ｒ値＝Ｇ値＝Ｂ値）。
【０００５】
ここで、今回表示される１フレーム分の画像データと、前回表示された１フレーム分の画像データとからＬＵＴに保持されている増幅値を読み出すにあたり、今回表示される１フレーム分の画像データは灰色を表わす画像データであり従って共に同じ値（Ｒ値＝Ｇ値＝Ｂ値）であるものの、前回表示された１フレーム分の画像データは必ずしも灰色を表わす画像データに限られるものでもなく、例えばＲ値≠Ｇ値≠Ｂ値の場合、各色における補正値は互いに異なることとなる。すると、表示画面上には、赤味等の色彩を有する灰色が表示されるという問題が発生する。
【０００６】
本発明は、上記事情に鑑み、応答性を高めたまま、表示画面上に灰色を正しく表示することができる表示用コントローラを提供することを目的とする。
【課題を解決するための手段】
【０００７】
上記目的を達成する本発明の表示用コントローラは、複数色に色分解された画像データを複数フレームにわたって順次受け取って表示画面を駆動する表示用コントローラにおいて、
応答性を高めるオーバドライブ回路を備え、
上記オーバドライブ回路が、各色ごとに独立に、その各色の画素値を調整する第１のモードと、上記複数色全てについて該複数色の画素値それぞれを相互に同一の値だけ調整する第２のモードを備えたことを特徴とする。
【０００８】
本発明の表示用コントローラは、表示画面上に灰色以外の色を表示する場合は、オーバドライブ回路が第１のモードに設定されて、各色ごとに独立して各色の画素値が調整されて、実際に表示するための画素値よりも大きな画素値の色信号が、表示画面を構成する液晶素子に与えられるため、液晶素子の応答性を高めたまま、灰色以外の色を表示することができる。また、表示画面上に灰色を表示する場合は、オーバドライブ回路が第２のモードに設定されて、複数色全てについてそれら複数色の画素値それぞれが相互に同一の値だけ調整されるため、表示画面上に赤味等の色彩を有する灰色が表示されるということはなく、従って、応答性を高めたまま、灰色を正しく表示することができる。
【発明の効果】
【０００９】
本発明の表示用コントローラによれば、応答性を高めたまま、表示画面上に灰色を正しく表示することができる。
【発明を実施するための最良の形態】
【００１０】
以下、図面を参照して本発明の実施の形態を説明する。
【００１１】
図１は、本発明の一実施形態の表示用コントローラの回路構成を示す図である。
【００１２】
図１に示す表示用コントローラ１は、Ｒ（赤），Ｇ（緑），Ｂ（青）の３色に色分解された画像データを複数フレームにわたって順次受け取って表示画面を駆動する表示用コントローラである。
【００１３】
この表示用コントローラ１には、コンパレータ１０と、フレームメモリ２０と、オーバドライブ回路３０と、加算器４１，４２，４３とが備えられている。オーバドライブ回路３０は、ルックアップテーブル（ＬＵＴ）３１，３２，３３と、第１のセレクタ３４と、第２のセレクタ３５，３６，３７とから構成されている。
【００１４】
コンパレータ１０には、Ｒ（赤），Ｇ（緑），Ｂ（青）の３色に色分解された画像データＲ，Ｇ，Ｂが複数フレームにわたって順次入力される。このコンパレータ１０は、入力された画像データＲ，Ｇ，Ｂの値を比較し、比較結果が共に同じ値（Ｒ値＝Ｇ値＝Ｂ値）である（灰色である）と判定した場合は、上記画像データＲ，Ｇ，Ｂとともに‘Ｌ’レベルのセレクト信号ＳＥＬを出力する。一方、比較結果が異なる値である（灰色以外の色である）と判定した場合は、上記画像データＲ，Ｇ，Ｂとともに‘Ｈ’レベルのセレクト信号ＳＥＬを出力する。
【００１５】
フレームメモリ２０には、コンパレータ１０からの画像データＲ，Ｇ，Ｂが入力される。フレームメモリ２０は、コンパレータ１０から入力された１フレーム分の画像データＲ，Ｇ，Ｂを格納する。
【００１６】
オーバドライブ回路３０は、コンパレータ１０から‘Ｈ’レベルのセレクト信号ＳＥＬが出力されると、Ｒ（赤），Ｇ（緑），Ｂ（青）の各色ごとに独立に、その各色の画素値を調整する第１のモードとなる。また、このオーバドライブ回路３０は、コンパレータ１０から‘Ｌ’レベルのセレクト信号ＳＥＬが出力されると、３色全てについて３色の画素値それぞれを相互に同一の値だけ調整する第２のモードとなる。以下、オーバドライブ回路３０の構成要素について詳細に説明する。
【００１７】
オーバドライブ回路３０を構成するルックアップテーブル３１，３２，３３は、Ｒ，Ｇ，Ｂの各色に対応して備えられており、これらルックアップテーブル３１，３２，３３には、コンパレータ１０からの今回表示される１フレーム分の画像データＲ，Ｇ，Ｂと、フレームメモリ２０からの前回表示された１フレーム分の画像データＲ，Ｇ，Ｂとが入力される。これらルックアップテーブル３１，３２，３３には、今回表示される１フレーム分の画像データＲ，Ｇ，Ｂと、前回表示された１フレーム分の画像データＲ，Ｇ，Ｂとの差分を増幅して応答性を高めるための補正値が格納されている。
【００１８】
第１のセレクタ３４には、ルックアップテーブル３１，３２，３３からの３つの補正値が入力される。第１のセレクタ３４は、これら３つの補正値の中からいずれか１つの補正値を選択して出力する。
【００１９】
第２のセレクタ３５，３６，３７も、Ｒ，Ｇ，Ｂの各色に対応して備えられており、これら第２のセレクタ３５，３６，３７の各一端には、ルックアップテーブル３１，３２，３３からの各補正値が入力される。また、第２のセレクタ３５，３６，３７の各他端には、第１のセレクタ３４からの補正値が入力される。さらに、第２のセレクタ３５，３６，３７の制御端子には、コンパレータ１０からのセレクト信号ＳＥＬが入力される。これら第２のセレクタ３５，３６，３７では、‘Ｈ’レベルのセレクト信号ＳＥＬが入力されると、ルックアップテーブル３１，３２，３３からの補正値が出力される。一方、‘Ｌ’レベルのセレクト信号ＳＥＬが入力されると、第１のセレクタ３４からの補正値が出力される。
【００２０】
加算器４１，４２，４３には、コンパレータ１０からの画像データＲ，Ｇ，Ｂおよび第２のセレクタ３５，３６，３７からのデータが入力される。加算器４１，４２，４３は、これら画像データＲ，Ｇ，Ｂと第２のセレクタ３５，３６，３７からのデータとを加算することにより新たな画像データＲ，Ｇ，Ｂを生成し、図示しない表示画面に出力する。
【００２１】
次に、このように構成された表示用コントローラ１の動作について説明する。尚、フレームメモリ２０には、前回表示された１フレーム分の画像データＲ，Ｇ，Ｂが格納されているものとする。コンパレータ１０に、今回表示される１フレーム分の画像データＲ，Ｇ，Ｂが入力されると、コンパレータ１０は、入力された画像データＲ，Ｇ，Ｂの値を比較し、異なる値である（灰色以外の色である）と判定した場合は‘Ｈ’レベルのセレクト信号ＳＥＬを出力する。これにより、オーバドライブ回路３０は、各色ごとに独立に、各色の画素値を調整する第１のモードに設定される。
【００２２】
この第１のモードでは、オーバドライブ回路３０を構成するルックアップテーブル３１，３２，３３は、コンパレータ１０からの今回表示される１フレーム分の画像データＲ，Ｇ，Ｂと、フレームメモリ２０からの前回表示された１フレーム分の画像データＲ，Ｇ，Ｂとの差分に応じた補正値を出力する。これらの補正値は、第２のセレクタ３５，３６，３７に入力される。ここで、第２のセレクタ３５，３６，３７の制御端子には、‘Ｈ’レベルのセレクト信号ＳＥＬが入力されているため、これらの補正値が加算器４１，４２，４３に入力される。加算器４１，４２，４３では、これらの補正値と、コンパレータ１０からの画像データＲ，Ｇ，Ｂとを加算することにより新たな画像データＲ，Ｇ，Ｂを生成し、図示しない表示画面に出力する。このようにして、オーバドライブ回路３０が第１のモードに設定されて、各色ごとに独立して各色の画素値が調整されて、実際に表示するための画素値よりも大きな画素値の色信号が、図示しない表示画面を構成する液晶素子に与えられるため、液晶素子の応答性を高めたまま、灰色以外の色を表示することができる。
【００２３】
一方、コンパレータ１０が、入力された画像データＲ，Ｇ，Ｂの値を比較した結果、同じ値である（灰色である）と判定した場合は‘Ｌ’レベルのセレクト信号ＳＥＬを出力する。これにより、オーバドライブ回路３０は、３色の画素値それぞれを相互に同一の値だけ調整する第２のモードに設定される。
【００２４】
この第２のモードでは、ルックアップテーブル３１，３２，３３は、コンパレータ１０からの今回表示される１フレーム分の画像データＲ，Ｇ，Ｂと、フレームメモリ２０からの前回表示された１フレーム分の画像データＲ，Ｇ，Ｂとの差分に応じた補正値を出力する。これらの補正値は、第１のセレクタ３４に入力される。第１のセレクタ３４は、これら補正値の中からいずれか１つの補正値を選択して第２のセレクタ３５，３６，３７に出力する。ここで、第２のセレクタ３５，３６，３７の制御端子には、‘Ｌ’レベルのセレクト信号ＳＥＬが入力されているため、第１のセレクタ３４からの補正値が加算器４１，４２，４３に入力される。加算器４１，４２，４３では、この補正値と、コンパレータ１０からの画像データＲ，Ｇ，Ｂとを加算することにより新たな画像データＲ，Ｇ，Ｂを生成し、図示しない表示画面に出力する。ここで、新たな画像データＲ，Ｇ，Ｂの値は相互に同一の値である。このようにして、オーバドライブ回路３０が第２のモードに設定されて、３色全てについて３色の画素値それぞれが相互に同一の値だけ調整されるため、表示画面上に赤味等の色彩を有する灰色が表示されるということはなく、従って、応答性を高めたまま、灰色を正しく表示することができる。
【００２５】
尚、本実施形態では、３色に色分解された画像データを複数フレームにわたって順次受け取って表示画面を駆動する例で説明したが、これに限られるものではなく、本発明は、複数色に色分解された画像データを複数フレームにわたって順次受け取って表示画面を駆動するものであればよい。
【００２６】
また、本実施形態では、第２のモードにおいて、３つのルックアップテーブルからの３つの補正値の中からいずれか１つの補正値を採用する例で説明したが、ルックアップテーブルの３つの補正値の平均値を求めてその平均値に一番近い補正値を採用してもよく、あるいは平均値を採用してもよく、さらにこれらに限られるものでもなく、本発明は、複数色全てについてそれら複数色の画素値それぞれを相互に同一の値だけ調整するものであればよい。
【図面の簡単な説明】
【００２７】
【図１】本発明の一実施形態の表示用コントローラの回路構成を示す図である。
【符号の説明】
【００２８】
１  表示用コントローラ
１０  コンパレータ
２０  フレームメモリ
３０  オーバドライブ回路
３１，３２，３３  ルックアップテーブル（ＬＵＴ）
３４  第１のセレクタ
３５，３６，３７  第２のセレクタ
４１，４２，４３  加算器
【図１】
2006010839.tif 000003